(57)【特許請求の範囲】
【請求項１】
振盪機の振盪板に着脱可能な支柱と、該支柱の下端に固設した支持腕と、前記支柱にスライド可能に設けた保持腕とを備え、逆転させた分液漏斗の栓を前記支持腕にて支持するとともに、前記逆転させた分液漏斗のバルブを前記保持腕にて保持する振盪機の分液漏斗ホルダーにおいて、前記支柱の下部に設けた水平方向の軸にドラムを回転可能に軸支し、該ドラムに基端を固設した定荷重の帯状のバネ部材をドラムに巻回し、該バネ部材の先端を前記保持腕に連結し、該保持腕の下降を規制するストッパを、前記支柱の保持腕の位置よりも下部に設けたことを特徴とする振盪機の分液漏斗ホルダー。
【発明の詳細な説明】
【技術分野】
【０００１】
本発明は、振盪容器の１種である分液漏斗を振盪板に取り付けるホルダーに関する。
【背景技術】
【０００２】
振盪容器内に２種以上の相互に溶解しない液体を入れ、振盪容器を振盪することにより液体を混合振盪して目的物質を一方の液体に抽出濃縮する振盪機として、振盪容器を上下方向に振盪するいわゆる縦型振盪機が知られている。この縦型振盪機は、駆動モータと、該駆動モータの回転運動を往復運動に変換するクランク機構とを内蔵した箱体の側面に、前記クランク機構に接続された連結杆にて上下方向に往復動する振盪板を案内するガイド部材を備え、振盪板に取り付けた振盪容器ホルダーに振盪容器を装着し、駆動モータの回転により振盪板を箱体の側面に沿って垂直方向に往復動させて、振盪容器内の液体を振盪する。
【０００３】
振盪容器としては試験管、フラスコ、分液漏斗等が使用される。これらの振盪容器は、それぞれ専用のホルダーを介して振盪板に装着される。このうち、分液漏斗ホルダーには、サイズの異なる分液漏斗に対応するため、振盪板に着脱可能な上下方向の支柱と、該支柱の下端に固設した支持腕と、前記支柱にスライド可能に設けた保持腕とを備え、前記支持腕にて逆転させた分液漏斗の栓を支持するとともに、前記保持腕にて前記逆転させた分液漏斗のバルブを保持する（例えば、特許文献１参照）。
【０００４】
前記分液漏斗の装着は、前記支持腕の栓受け部分にコイルスプリング等の弾性材を配置し、該弾性材上に分液漏斗の栓を置いた後、前記保持腕を下降させて分液漏斗のバルブに押し付けて前記弾性材を圧縮し、適当な保持圧力のところで、保持腕を支柱にネジやピン等で固定したり、支柱に設けたラックにラチェットを係止して保持腕を固定し、該保持腕と前記支持腕との間で分液漏斗を保持していた。
【特許文献１】実開昭５５−３９１８７号公報全文第４頁及び図１
【発明の開示】
【発明が解決しようとする課題】
【０００５】
ところが、上述の構造では、分液漏斗の着脱の度に保持腕の上下動と保持腕の固定・開放の作業が必要で、複数の分液漏斗を使用する場合には煩雑な作業となっていた。
【０００６】
そこで本発明は、分液漏斗の着脱作業を容易にした振盪機の分液漏斗ホルダーを提供することを目的としている。
【課題を解決するための手段】
【０００７】
上記した目的を達成するため、本発明は、振盪機の振盪板に着脱可能な支柱と、該支柱の下端に固設した支持腕と、前記支柱にスライド可能に設けた保持腕とを備え、逆転させた分液漏斗の栓を前記支持腕にて支持するとともに、前記逆転させた分液漏斗のバルブを前記保持腕にて保持する振盪機の分液漏斗ホルダーにおいて、前記支柱の下部に設けた水平方向の軸にドラムを回転可能に軸支し、該ドラムに基端を固設した定荷重の帯状のバネ部材をドラムに巻回し、該バネ部材の先端を前記保持腕に連結し、該保持腕の下降を規制するストッパを前記支柱の保持腕の位置よりも下部に設けたことを特徴としている。
【発明の効果】
【０００８】
以上説明したように、本発明は、保持腕がバネ部材にて下降方向へ付勢されているから、分液漏斗を装着する際には、保持腕を上方へ引き上げて逆転させた分液漏斗の栓を支持腕に支持させ、保持腕を逆転させた分液漏斗のバルブに当接させるだけで、保持腕が分液漏斗を上方から押圧保持するから、分液漏斗の着脱作業が容易にかつ短時間行える。また、支柱に保持腕の下降を規制するストッパを設けることにより、保持腕が支柱の一番下まで下降しないので、分液漏斗の装着時間を短縮できる。
【発明を実施するための最良の形態】
【０００９】
以下、本発明を、図面に示す実施形態例に基づいて、さらに詳細に説明する。２種以上の相互に溶解しない液体を入れた分液漏斗１を逆転して保持して縦型振盪機２の振盪板３に取り付けられる分液漏斗ホルダー４は、振盪板３に着脱可能な上下方向の支柱５と、該支柱５の下端に固設されて逆転させた分液漏斗１の栓６を下方から支持する支持腕７と、前記支柱５にスライド可能に設けられて前記逆転させた分液漏斗１のバルブ８を上方から押圧保持する保持腕９とを備えている。
【００１０】
前記支柱５は、前面板５ａ及び両側面板５ｂ，５ｂとを有し、振盪板３側となる背面側を開放した形状で、両側面板５ｂ，５ｂの下部にドラム１０の保持部５ｃを形成し、上部背面側に振盪板３への取付部５ｄを固設している。前記保持部５ｃには、前記ドラム１０を回転可能に軸支する水平方向の軸１１を設けた断面コ字状のドラム保持具１２が固設されている。
【００１１】
前記支持腕７は、底面板７ａ及び両側面板７ｂ，７ｂとを有する形状の底部材７ｃと、該底部材７ｃの両側面板７ｂ，７ｂの前面側及び上部を塞ぐ栓受け板７ｄとで構成され、両側板７ｂ，７ｂの背面側に振盪板３への取付部７ｅをそれぞれ折り曲げ形成している。この支持腕７は、底部材７ｃの背面側を前記支柱５の下端に固設される。前記栓受け板７ｄには、前記分液漏斗１の栓６を支持する栓受け１３の装着孔７ｆが形成されている。栓受け１３は、軟質樹脂等の弾性材で形成され、上部に前記栓６が挿入される凹部１３ａが形成されている。
【００１２】
前記保持腕９は、前面板９ａと両側面板９ｂ，９ｂ及び上面板９ｃとを有する形状で、両側面板９ｂ，９ｂで前記支柱５の両側面板５ｂ，５ｂを抱持するもので、両側面板９ｂ，９ｂは、は、前記支柱５の両側面板５ｂ，５ｂよりも広い間隔で両側面板５ｂ，５ｂよりも背面側へ長く形成されている。この両側面板９ｂ，９ｂには、前記支柱５の前面板５ａを前後から挟んで摺動板９ｄ，９ｅが取り付けられ、さらに両側面板９ｂ，９ｂの背面側端部には、両側面板９ｂ，９ｂの間隔を維持するとともに保持腕９が支柱５から脱落するのを防止する抜け止め板９ｆが固設され、該抜け止め板９ｆと背面側の摺動板９ｅとの間にスペーサ９ｇが設けられている。前記前面板９ａには、前記分液漏斗１のバルブ８を上方から押圧保持する二股状の保持部材９ｈが取り付けられている。
【００１３】
前記ドラム１０には、定荷重を有するバネ部材として、本形態例では２ｋｇの定荷重を有する帯バネ１４がその基端を固設されて巻回され、該帯バネ１４の先端は、前記支柱５の前面板５ａの背面を上方へ延出して前記保持腕９の背面側の摺動板９ｅに連結されている。これにより、保持腕９は、帯バネ１４にて下降する方向に付勢される。また、前記支柱５には、前記保持腕９の下降を規制するストッパ１５が保持腕９の下部にビス１６にて取り付けられている。ストッパ１５の取付位置は、サイズの一番小さい分液漏斗のバルブよりやや下方とすることが望ましく、これにより、保持腕９が支柱５の一番下まで下降しないので、分液漏斗１の装着時間を短縮できる。
【００１４】
このように構成された分液漏斗ホルダー４は、前記支柱５の取付部５ｄと前記支持腕７の取付部７ｅとを前記振盪板３にビス止めして振盪板３に取り付けられる。そして、分液漏斗ホルダー４の保持腕９を上方へ引き上げて逆転させた分液漏斗１の栓６を前記支持腕７の栓受け１３の凹部１３ａに挿入し、前記保持腕９の保持部材９ｈの二股内に分液漏斗１の管を嵌めて保持腕９を離すことにより、保持腕９が帯バネ１４の付勢力にて下降し、逆転させた分液漏斗１のバルブ８を上方から押圧保持して、分液漏斗１が分液漏斗ホルダー４に装着される。なお、分液漏斗１を取り外す際には、保持腕９を上方へ引き上げれば押圧保持が解除されて分液漏斗１が取り外ずせる。
【００１５】
したがって、分液漏斗１の着脱作業が容易に行える。また、胴径が同じで栓６からバルブ８までの距離が異なる分液漏斗であっても容易に装着できる。さらに、図５に示されるように、保持腕９の保持部材９ｈを前後方向にスライド可能とすることによって胴径の太い大容量の分液漏斗１を装着することもできる。
【００１６】
縦型振盪機２は、ケーシング２１の両側面にそれぞれ備えた前記振盪板３を垂直状態や所望の傾斜角度に固定して上下方向に往復振盪させるもので、前記ケーシング２１には、各振盪板３を上下方向に往復動させる駆動機構と、前記振盪板３を垂直状態や所望の傾斜角度に固定する傾斜機構とが配設されている。
【００１７】
前記駆動機構は、前記ケーシング２１内に設置された駆動モータ（図示せず）及び該駆動モータの回転を往復運動に変換するクランク機構２２と、該クランク機構２２に接続されて振盪板３を上下方向に往復動させる連結杆２３と、複数のガイドローラ２４を介して振盪板３を上下方向に移動可能に案内するガイド部材２５とで構成されている。
【００１８】
前記傾斜機構は、ケーシング２１の両側面にそれぞれ固設されるガイド部材支持板２６と、該ガイド部材支持板２６に設けられて前記ガイド部材２５の上部を軸支する水平方向の支軸２７と、前記ガイド部材支持板２６に形成された円弧状の長孔２８に挿通されて前記ガイド部材２４の下部に螺合する振盪板所定位置固定摘み２９とで構成されている。
【００１９】
これにより、前記ガイド部材２５は、前記支軸２７を中心に回動して前記ケーシング２１に対して傾斜可能となるから、前記ガイド部材２５を所望の角度にして振盪板所定位置固定摘み２９を締め付けることにより、前記振盪板３は、垂直状態や所望の傾斜角度に固定され、駆動モータの運転により上下方向に往復振盪する。
【００２０】
前記振盪板３を傾斜させて振盪することにより、分液漏斗１内の各液体の接触面積が垂直状態に比べて広くなるとともに、各液体は、重力による垂直方向の力と、振盪板３の振幅と傾斜角度の積による水平方向の力との合成運動の力を受け、分液漏斗１の内壁との摩擦運動で液界面に乱れを生じ、低速段階から各液体が撹拌状態となり、垂直振盪に比べて撹拌力が大きくなり、振盪時間を短くできて振動や騒音を低減するとともに、機械的負担を軽減させることができる。また、振盪速度を従来方式の２／３位まで遅くしても、同程度の振盪効果が得られるので、この場合には格段の静粛運転が可能となり、機械的損耗の軽減と省電力が図れる。
【図面の簡単な説明】
【００２１】
【図１】分液漏斗ホルダーの背面方向から見た斜視図
【図２】分液漏斗ホルダーの側面図
【図３】分液漏斗ホルダーの一部断面平面図
【図４】分液漏斗ホルダーを取り付けた振盪板を傾斜させた振盪機の正面図
【図５】保持腕の保持部材を前後方向にスライド可能とした分液漏斗ホルダーの側面図
【符号の説明】
【００２２】
１…分液漏斗、２…振盪機、３…振盪板、４…分液漏斗ホルダー、５…支柱、６…分液漏斗の栓、７…支持腕、８…分液漏斗のバルブ、９…保持腕、１０…ドラム、１１…軸、１４…帯バネ、１５…ストッパ
【図１】
0004610889.tif 000002
【図２】
0004610889.tif 000003
【図３】
0004610889.tif 000004
【図４】
0004610889.tif 000005
【図５】
0004610889.tif 000006